(57)【要約】【課題】機器前面におけるトップフレーム取り付け時の隙間の発生を防止すること。【解決手段】トップフレーム３を側面外郭を成す側板７、８と締結するとともに、トップフレーム３の前方中央近傍に略鉛直下方に伸ばした連結片１７を固着させ、連結片１７と機器前面の前板１１とを締結させることで、トップフレーム３は上方に凸となる変形をしていた場合であっても、トップフレーム３の左右側面を側板７、８と締結することで固定するのに加えて、前板１１と連結片１７の締結によってトップフレーム３の前方略中央を前板１１の方へ引き込む力を加えることでトップフレーム３の形状を前板に沿った形状へと矯正され機器前面の隙間の発生を防止できる。【選択図】図２
2011181323.tif 000002
【特許請求の範囲】
【請求項１】
本体と、前記本体の天面に配され調理器具を載置する天板と、前記天板の下方に設けられた加熱手段と、加熱手段の電源回路と、外部操作により機器の運転を制御する制御回路と、前記天板の外周を覆うトップフレームと、前記本体の側面外郭を成す側板と、前記本体の前面外郭を成す前板とを備え、前記トップフレームと側板とを締結すると共に、トップフレームは前方略中央近傍に略鉛直下方に伸ばした連結片を固着させ、前記連結片と前記前板とを締結させた加熱調理器。
【請求項２】
天板を下方より支持すると共に前記トップフレームと固着して天板を挟持するアンダーフレームを備え、前記アンダーフレームは前方略中央近傍に略鉛直下方に伸ばした連結片を形成し、連結片と前記前板とを締結すると共に、前記連結片の近傍で前記トップフレームと前記アンダーフレームを固着させた請求項１に記載の加熱調理器。
【請求項３】
連結片はトップフレームを部分的に下方へ伸長させて形成した請求項１に記載の加熱調理器。
【請求項４】
トップフレームの固着部に上方よりパネルシートを貼り付けた請求項１〜３のいずれか１項に記載の加熱調理器。
【請求項５】
本体は前面に開口する扉を有する調理庫を備え、前記扉は前板の締結部を外方より覆設した請求項１〜３のいずれか１項に記載の加熱調理器。
【請求項６】
本体は前面に飾り板を備え、前記飾り板は前板の締結部を外方より覆設した請求項１〜３のいずれか１項に記載の加熱調理器。
【発明の詳細な説明】
【技術分野】
【０００１】
本発明は、一般家庭の台所や業務用の厨房などで使用される、据え置き型の加熱調理器に関するものである。
【背景技術】
【０００２】
従来、この種の加熱調理器は上方に開口部を設けた箱状の外郭に加熱手段や電源回路、制御回路を内蔵した後に、天面に天板を設置して完成品としている。天板を天面に設置する際は、天板の外周端面を覆うトップフレームあるいは天板を下方から支持するアンダーフレームと、側面外郭を成す側板とを締結している（例えば、特許文献１参照）。
【０００３】
図７は、従来の加熱調理器を示すものである。図７に示すように、天板３１には下方から支持するようにアンダーフレーム３２が接着によって取り付けられている。天板３１の外周を覆うようにトップフレーム３３が取り付けられ、アンダーフレーム３２とネジによって締結して天板３１を挟み込んでいる。アンダーフレームの端面には略鉛直下方に伸びる腕部３４を設け、腕部３４と本体外郭側面を成す側板３５とを締結することで、本体の天面に天板３１を設置している。
【先行技術文献】
【特許文献】
【０００４】
【特許文献１】特開２００８−１７７０１０号公報
【発明の概要】
【発明が解決しようとする課題】
【０００５】
しかしながら、前記従来の構成ではトップフレームが加工上の反りなどによって前方略中央部が上方に凸となる変形をした場合、トップフレームを下方へ引き込む構成を持たないため、機器前面の前板や調理庫の扉といった外装部品とトップフレームとの隙間が発生し、外観の品位を損なうという課題を有していた。
【０００６】
本発明は、前記従来の課題を解決するもので、機器前面の隙間の発生を防止し、安定して外観品位を保つことのできる加熱調理器を提供することを目的とする。
【課題を解決するための手段】
【０００７】
前記従来の課題を解決するために、本発明の加熱調理器は、トップフレームと側面外郭を成す側板とを締結するとともに、トップフレームの前方中央近傍に略鉛直下方に伸ばした連結片を固着させ、連結片と機器前面の前板とを締結させたものである。
【０００８】
トップフレームは上方に凸となる変形をしていた場合であっても、トップフレームの左右側面を側板と締結することで固定するのに加えて、前板と連結片の締結によってトップフレームの前方略中央を前板の方へ引き込む力を加えることでトップフレームの形状を前板に沿った形状へと矯正することとなる。これによって、機器前面の隙間の発生を防止することとなる。
【発明の効果】
【０００９】
本発明の加熱調理器は、機器前面のトップフレームと前板との隙間の発生を防止することができ、安定して外観品位に優れたものとすることができる。
【図面の簡単な説明】
【００１０】
【図１】本発明の実施の形態１における完成状態の斜視図
【図２】本発明の実施の形態１における分解斜視図
【図３】本発明の実施の形態１における隙間が生じた状態の正面図
【図４】本発明の実施の形態１における天板の分解斜視図
【図５】本発明の実施の形態１における要部断面図
【図６】本発明の実施の形態１における固着部を示す斜視図
【図７】従来の加熱調理器の分解斜視図
【発明を実施するための形態】
【００１１】
第１の発明は本体と、前記本体の天面に配され調理器具を載置する天板と、前記天板の下方に設けられた加熱手段と、加熱手段の電源回路と、外部操作により機器の運転を制御する制御回路と、前記天板の外周を覆うトップフレームと、前記本体の側面外郭を成す側板と、前記本体の前面外郭を成す前板とを備え、前記トップフレームは側板とを締結すると共に、前方中央近傍に略鉛直下方に伸ばした連結片と固着させ、前記連結片と前記前板とを締結させた加熱調理器としている。これによって、トップフレームが上方に凸となる変形をしていた場合であっても、トップフレームの左右側面を側板と締結することで固定するのに加えて、前板と連結片の締結によってトップフレームの前方略中央を前板の方へ引き込む力を加えることでトップフレームの形状を前板に沿った形状へと矯正することとなり、機器前面の隙間の発生を防止することができる。
【００１２】
第２の発明は、特に、第１の発明において天板を下方より支持すると共に前記トップフレームと固着して天板を挟持するアンダーフレームを備え、前記アンダーフレームは前方略中央近傍に略鉛直下方に伸ばした連結片を形成し、連結片と前記前板とを締結すると共に、前記連結片の近傍で前記トップフレームと前記アンダーフレームを固着させた加熱調理器としている。これによって、トップフレームが上方に凸となる変形をしていた場合であっても、前板とアンダーフレームの連結片の締結によってトップフレームの前方略中央を前板の方へ引き込む力を加えることでトップフレームの形状を前板に沿った形状へと矯正することとなり、機器前面の隙間の発生を防止することができる。また合わせて、側板との締結部をアンダーフレームに備えることが可能となり、側面締結部を外観面であるトップフレームに本体との締結部を設けなくても良いのでデザイン性に優れた加熱調理器を実現できる。
【００１３】
第３の発明は、特に、第１の発明において、トップフレームを部分的に下方へ伸長させて連結片を形成した加熱調理器としている。これによって、連結片をトップフレームと一体化することができるため、部品点数を削減し、合理的な構成とできると共に、前板と連結片の締結によってトップフレームの前方略中央を前板の方へ引き込む際に、直接トップフレームを引き込むことができるため、安定して機器前面の隙間の発生を防止することができる。
【００１４】
第４の発明は、特に、第１〜３のいずれか１つの発明において、トップフレームの固着部に上方よりパネルシートを貼り付けた加熱調理器としている。これによって、連結片やアンダーフレームとトップフレームの固着箇所や、あるいはトップフレームの切り欠き・折り曲げ等の加工部をパネルシートによって覆って隠すことができ、使用者に固着部や加工部が見えることがなく、デザイン性に優れた加熱調理器を実現できる。
【００１５】
第５の発明は、特に第１〜３のいずれか１つの発明において、本体は前面に開口する扉を有する調理庫を備え、前記扉は前板の締結部を外方より覆設した加熱調理器としている。これによって、扉を閉めることで前板の締結部が覆って隠されるため、使用者に締結部が見えることがなく、デザイン性に優れた加熱調理器を実現できる。
【００１６】
第６の発明は、特に、第１〜３のいずれか１つの発明において、本体は前面に飾り板を備え、前記飾り板は前板の締結部を外方より覆設した加熱調理器としている。これによって、飾り板を取り付けることで前板の締結部が覆って隠されるため、使用者に締結部が見えることがなく、デザイン性に優れた加熱調理器を実現できる。
【００１７】
以下、本発明の実施の形態について、図面を参照しながら説明する。なお、この実施の形態によって本発明が限定されるものではない。
【００１８】
（実施の形態１）
図１〜図６は、本発明の実施の形態における加熱調理器として台所や業務用の厨房などで使用される据え置き型の誘導加熱調理器を例示したものである。
【００１９】
図１、２に示すように、本体１の天面には、鍋、フライパンなどの調理器具を載置する天板２が配されている。天板２は高耐熱のガラスなどの電磁誘導によって加熱されない材質で構成されている。トップフレーム３は、天板２の外周を囲んで覆って、本体１の天面の一部もしくは殆ど全部を構成しており、天板２を介して伝わる調理器具からの熱に十分に耐え、かつ外観部品として見栄えがよく、腐食にも強いステンレスやホーロー処理鋼板などの金属からなっている。天板２の外周の上下端はトップフレーム３と、天板２下方に配されて天板２を支持するアンダーフレーム４とにより挟持されている。天板２の表裏の外周近傍部と、トップフレーム３およびアンダーフレーム４とは各々接着剤により接合され、水密性を保っている。天板２の下方には加熱手段である誘導加熱コイル５が設けられている。トップフレーム３には使用者が加熱動作などの操作を行うための操作部６が形成されている。本体１の外郭は、天面の天板２およびトップフレーム３に加えて、左右側面を右側板７および左側板８で、後側面を後板９で、底面を底板１０で、前面を前板１１で構成している。
【００２０】
アンダーフレーム４の外周端部は略鉛直方向に伸長して腕部１２が複数形成されており、その腕部１２には、ねじによる締結穴ａ１３が設けられている。右側板８、左側板９の相対する箇所には貫通穴ａ１５が形成されており、アンダーフレーム４は、ねじ１６によって貫通穴１５を介して側板８、９の複数箇所に締結される。
【００２１】
アンダーフレーム４の前面端部近傍の機器の略中心部には下方へ向けて伸長して連結片１７が形成されている。連結片１７には、締結穴ｂ１８が設けられている。アンダーフレーム４は連結片１７の近傍でトップフレーム３と溶接して固着させている。
【００２２】
機器を組み立てる際は、本体１内部に誘導加熱コイル５や電源回路１９、食材を庫内に収めヒーターで加熱調理するロースターユニット２０などを収納し、上方を開口した状態から、その開口に対して、上方より天板２を載せて取り付ける。
【００２３】
天板２を本体１の天面に戴置した状態で、アンダーフレーム４に設けた腕部１２の締結穴ａ１３と、側板７、８の貫通穴ａ１５をねじによって締結すると共に、機器の前面は連結片１７に設けた締結穴ｂ１８と前板１１に供えた貫通穴ｂ２４をねじによって締結して、天板２を本体１に取り付けて完成品状態としている。
【００２４】
以上のように構成された加熱調理器について、以下その動作、作用を説明する。
【００２５】
機器の前面はロースターの扉２１や、飾り板２２を前板１１に取り付けており、トップフレーム３とそれぞれの部品の間には部品・組立の精度によって少なからず隙間２３が発生する場合がある。機器は長手方向で６０ｃｍ程度の長さがあり、図３に示すようにトップフレーム３が正面から見て上方凸の弓形に変形した場合では、機器正面の左右端部と中
央近傍では前板１１との隙間２３の大きさが異なって見え、外観品位を落とすことに繋がる。
【００２６】
本実施の形態では、トップフレームが上方凸の弓形に変形した場合でも、天板を左右側板との締結に加えて連結片１７と前板１１との締結をすることで、図３の矢印のように連結片１７を下方（前板１１側）へ引き込む力を加えることとなり、連結片１７と固着されたトップフレーム３が前板１１側へ引き込まれて変形をして、前板１１に沿った形状まで矯正される。また、トップフレーム３が下方凸の弓形に変形した場合は、側面を締結することでトップフレーム３の中央近傍が前板に押し付けられて矯正されることとなる。
【００２７】
これによって、トップフレーム３と、前板１１に取り付けた飾り板２２およびロースターの扉２１との距離が規制され、機器正面の隙間を狭めて外観品位に優れた加熱調理器とすることができる。
【００２８】
このとき、前板１１はトップフレーム３より強度に優れた材料、例えば、トップフレーム３より板厚を厚くしたりあるいは、トップフレーム３より強度に優れた形状とすることが望ましい。
【００２９】
また、本実施の形態では、締結片１７との締結部を本体外郭の前面を構成する前板１１としたが、本体の一部であって、トップフレーム３を引き込んで変形させることのできる強度を有する箇所であれば同様の効果が得られるため、他の箇所でも構わない。
【００３０】
また本実施の形態において、天板２の下方にアンダーフレーム４を備え、締結部である側面の腕部１２や連結片１７をアンダーフレーム４の一部から形成しているが、図４のようにアンダーフレーム４を備えず、連結片１７を別部品としてトップフレーム３に固着させても、図５のように別部品とせずにトップフレーム３を折り曲げて連結片１７を形成し、前板１１と連結させる構成であっても、機器正面の隙間を狭めて外観品位に優れた加熱調理器とすることができる。
【００３１】
また、本実施の形態では、ロースターユニット２０は前板１１と固定し、前板１１と連結片１７との締結部２４にロースターの扉２１を前面から覆うように取り付けている。これによって、締結部２４のネジ２５を扉２１によって覆い隠すことができ、前面から見てネジ２５の見えない美観に優れた加熱調理器とすることができる。またロースターの扉２１を開けることで天板２を締結するネジ２５を外すことができるため、故障時などのメンテナンス性を保つことができる。
【００３２】
本実施の形態では、前板１１と連結片１７の締結部は、ロースターの扉２１で覆い隠す構成としたが、飾り板２２など天板２を外さなくても着脱可能な部品によって覆い隠す構成としても、同様の効果が得られるため構わない。
【００３３】
また、本実施の形態では、トップフレーム３と連結片１７あるいはアンダーフレーム４との固着部２６における固着方法は、スポット溶接やかしめによるものとしており、機器の外観部に加工部が露出することは美観を保つ上で好ましくないため、図６に示すようにトップフレームの加工部の上方からパネルシート２７を貼り付けて覆い隠している。これによって、外観品位に優れた加熱調理器とすることができる。
【産業上の利用可能性】
【００３４】
以上のように、本発明にかかる加熱調理器は、デザイン性に優れた加熱調理器を提供することができるので、誘導加熱調理器はもちろんのこと加熱調理器全般に適用できる。
【符号の説明】
【００３５】
１  本体
２  天板
３  トップフレーム
４  アンダーフレーム
１１  前板
１７  連結片
２６  固着部
【図１】
2011181323.tif 000003
【図２】
2011181323.tif 000004
【図３】
2011181323.tif 000005
【図４】
2011181323.tif 000006
【図５】
2011181323.tif 000007
【図６】
2011181323.tif 000008
【図７】
2011181323.tif 000009